(57)【特許請求の範囲】
【請求項１】
出力調整が可能な加熱手段と、この加熱手段の加熱動作に関連した加熱情報を表示する加熱情報表示手段と、ロータリー式のつまみを有する操作手段と、この操作手段の操作に基づき前記加熱手段の出力を制御すると共に前記加熱情報表示手段の表示状態を制御する制御手段とを備え、
前記加熱情報表示手段は、それぞれ点灯制御される複数の発光単位により構成され、
前記制御手段は、前記操作手段における前記つまみの回転が高速回転のときには、前記発光単位を順次点灯または消灯制御し、低速回転のときには、前記複数の発光単位のうち最大点に対応する発光単位の輝度を段階的に多段階に変化させるように制御することを特徴とする加熱調理器。
【請求項２】
出力調整が可能な加熱手段と、この加熱手段の加熱動作に関連した加熱情報を表示する加熱情報表示手段と、タッチ式スイッチを有する操作手段と、この操作手段の操作に基づき前記加熱手段の出力を制御すると共に前記加熱情報表示手段の表示状態を制御する制御手段とを備え、
前記加熱情報表示手段は、それぞれ点灯制御される複数の発光単位により構成され、
前記制御手段は、前記操作手段における前記タッチ式スイッチが連続して押圧操作されたときには、前記発光単位を順次点灯または消灯制御し、短時間での押圧操作のときには、前記複数の発光単位のうち最大点に対応する発光単位の輝度を段階的に多段階に変化させるように制御することを特徴とする加熱調理器。
【請求項３】
加熱情報表示手段の表示情報は温度情報であることを特徴とする請求項１または２記載の加熱調理器。
【発明の詳細な説明】
【０００１】
【発明の属する技術分野】
本発明は、加熱手段の加熱動作に関連した加熱情報を表示する加熱情報表示手段を備えた加熱調理器に関する。
【０００２】
【発明が解決しようとする課題】
従来、加熱調理器においては、加熱手段として例えば誘導加熱コイルを用いたものにおいて、その誘導加熱コイルの加熱動作に関連した加熱情報として設定出力を表示する出力表示部を設けた構成のものがある。この出力表示部は、複数個のＬＥＤあるいは液晶表示器（ＬＣＤ）の複数個の発光セグメントにより構成され、操作部の操作に応じてＬＥＤや発光セグメントを点灯させ、その点灯個数により設定出力の大きさを表示するようになっている。
【０００３】
しかしながら、従来構成のものでは、設定出力としてはＬＥＤや発光セグメントの数だけしか変えることができないため、それらの数より細かな表示をすることができず、換言すれば微調整の表示はできないものであった。このため、調理の種類や量に適した火加減に設定したり、あるいは調理の進行に応じた微妙な火加減調節をしたりすることができない場合があった。
【０００４】
本発明は上記事情に鑑みてなされたものであり、その目的は、加熱手段の加熱動作に関連した加熱情報を表示する加熱情報表示手段を備えたものにおいて、一層細かな表示及び調整ができて、使い勝手を向上できる加熱調理器を提供するにある。
【０００５】
【課題を解決するための手段】
上記の目的を達成するために、請求項１の発明は、出力調整が可能な加熱手段と、この加熱手段の加熱動作に関連した加熱情報を表示する加熱情報表示手段と、ロータリー式のつまみを有する操作手段と、この操作手段の操作に基づき前記加熱手段の出力を制御すると共に前記加熱情報表示手段の表示状態を制御する制御手段とを備え、前記加熱情報表示手段は、それぞれ点灯制御される複数の発光単位により構成され、前記制御手段は、前記操作手段における前記つまみの回転が高速回転のときには、前記発光単位を順次点灯または消灯制御し、低速回転のときには、前記複数の発光単位のうち最大点に対応する発光単位の輝度を段階的に多段階に変化させるように制御することを特徴とする。
【０００６】
上記した手段によれば、加熱情報表示手段の一部を多段階に表示させることにより、加熱情報を一層細かく表示することができると共に、微調整が可能となり、使い勝手を一層向上させることが可能となる。
操作手段のつまみを所定の回転速度よりも早く回転操作した場合には、加熱情報表示手段の発光単位の微調整をせず順次点灯または消灯させ、ゆっくりと回転操作した場合には、先頭側の発光単位の点灯状態を段階的に変化させる。このような構成とした場合には、発光単位の数が多くなっても、素早く操作することができるようになる。
【０００７】
この場合、加熱情報表示手段の表示情報としては、加熱手段の出力や、天ぷら調理などの際の油の温度が考えられる。加熱情報表示手段の表示情報を加熱手段の出力とした場合、出力の微調整表示が可能となり、微妙な火加減の調節が可能となる。また、加熱情報表示手段の表示情報を温度とした場合、温度の微調整表示が可能となり、微妙な温度の調節が可能となる。
【００１２】
請求項２の発明は、出力調整が可能な加熱手段と、この加熱手段の加熱動作に関連した加熱情報を表示する加熱情報表示手段と、タッチ式スイッチを有する操作手段と、この操作手段の操作に基づき前記加熱手段の出力を制御すると共に前記加熱情報表示手段の表示状態を制御する制御手段とを備え、前記加熱情報表示手段は、それぞれ点灯制御される複数の発光単位により構成され、前記制御手段は、前記操作手段における前記タッチ式スイッチが連続して押圧操作されたときには、前記発光単位を順次点灯または消灯制御し、短時間での押圧操作のときには、前記複数の発光単位のうち最大点に対応する発光単位の輝度を段階的に多段階に変化させるように制御することを特徴とする。
【００１３】
上記した手段においても、加熱情報表示手段の一部を多段階に表示させることにより、加熱情報を一層細かく表示することができると共に、微調整が可能となり、使い勝手を一層向上させることが可能となる。また、操作手段のタッチ式スイッチの操作時間を長くした場合には、加熱情報表示手段の発光単位の微調整をせず順次点灯または消灯させ、操作時間を短くした場合には、先頭側の発光単位の点灯状態を段階的に変化させる。このような構成とした場合にも、発光単位の数が多くなっても、素早く操作することができるようになる。
【００１４】
【発明の実施の形態】
以下、本発明の第１の実施例について図１ないし図６を参照して説明する。まず、図２には、本発明の加熱調理器１の外観が示されている。この加熱調理器１は、キッチンのキャビネット２部分に組み込まれたビルトインタイプのものである。加熱調理器１の上面には、耐熱ガラス製のトッププレート３が設けられ、このトッププレート３の上面に、３個の円形をなす鍋載置部４，５，６が印刷などにより表示されている。
【００１５】
トッププレート３の下方には、図１に示すような矩形状のケース７が配設されている。このケース７内には、前部の左右にそれぞれ誘導加熱用の加熱コイル８，９が配設され、後部中央部にラジェントヒータからなる中央ヒータ１０が配設され、また、後部右部に冷却ファン１１が配設されている。左右の加熱コイル８，９及び中央ヒータ１０は、それぞれ加熱手段を構成している。左右の加熱コイル８，９及び中央ヒータ１０におけるそれぞれの中央部には、例えばサーミスタからなる温度センサ１２，１３，１０ａが設けられている。これら温度センサ１２，１３，１０ａは、鍋載置部４，５，６に載置される鍋などの被加熱物の温度を検知する。
【００１６】
左右の加熱コイル８，９及び中央ヒータ１０のそれぞれの外周部の前部側には、それぞれの加熱手段の加熱動作に関連した加熱情報を表示する加熱情報表示手段を構成する加熱情報表示部１４，１５，１６が設けられている。各加熱情報表示部１４，１５，１６は、複数、この場合多数個のＬＥＤ１７（発光単位に相当）を一列に並べて構成されている。各ＬＥＤ１７は、対応する加熱手段の外周部に沿って円弧状に配置されている。左右の加熱コイル８，９に対応する加熱情報表示部１４，１５のＬＥＤ１７の数は、中央ヒータ１０に対応する加熱情報表示部１６よりも多くなっている。
【００１７】
この場合、左右の加熱コイル８，９に対応する加熱情報表示部１４，１５は、対応する加熱コイル８，９の設定出力の情報と、温度情報とを切り替えて表示する構成となっており、また、中央ヒータ１０に対応する加熱情報表示部１６は、中央ヒータ１０の設定出力の情報を表示する構成となっている。なお、ケース７内の前部の中央部には、高温注意表示部１８が設けられている。この高温注意表示部１８も複数個のＬＥＤ１７により構成されている。
【００１８】
ケース７の下方にはロースタ１９（図２参照）が設けられていて、このロースタ１９の引き出し式の扉２０が、図２に示すように、加熱調理器１の前面部の左側に設けられている。ロースタ１９の内部には、ロースタ用のヒータ２１（図３参照）が設けられている。ロースタ１９の右側には操作パネル２２が設けられている。
【００１９】
操作パネル２２には操作部２３が設けられている。この操作部２３には、電源スイッチ２４、左加熱コイル用操作部２５、右加熱コイル用操作部２６、中央ヒータ用操作部２７、ロースタ用操作部２８、表示切替スイッチ２９などがある。これらのうち、左加熱コイル用操作部２５、右加熱コイル用操作部２６、中央ヒータ用操作部２７は、操作手段を構成するものであり、前部にロータリー式のつまみ２５ａ，２６ａ，２７ａを有していて、図示しないロータリーエンコーダに直結されている。これらつまみ２５ａ，２６ａ，２７ａは、不使用時には引っ込んだ位置に保持されていて、１回の押圧操作で前方へ突出して回転操作が可能となり、２回目の押圧操作で引っ込んだ位置に保持される構成となっている。
【００２０】
図３には、加熱調理器１の電気的構成が概略的に示されている。制御手段を構成するマイクロコンピュータ３０には、上記操作パネル２２における操作部２３からの操作信号が入力されると共に、各温度センサ１２，１３，１０ａからの検知信号が入力される。マイクロコンピュータ３０は、これらの入力信号及び予め備えた制御プログラムに基づいて、それぞれインバータ装置３１を介して加熱コイル８，９を制御すると共に、それぞれヒータ制御回路３２，３３を介して中央ヒータ１０，ロースタ用ヒータ２１を制御し、さらに、デジットドライバ３４及びセグメントドライバ３５を介して各ＬＥＤ１７をダイナミック点灯方式により制御する機能を備えている。上記インバータ装置３１は、インバータ制御部３６とインバータ３７とから構成されている。
【００２１】
上記構成の作用を説明する。まず、左の加熱コイル８を利用して調理する場合には、左前部の鍋載置部４に、被調理物を収容した鍋（図示せず）を載置すると共に、操作パネル２２の電源スイッチ２４をオンさせた状態とする。そして、左加熱コイル操作部２５のつまみ２５ａを押圧して突出状態とさせ、そのつまみ２５ａを回転させる。このとき、マイクロコンピュータ３０は、左加熱コイル操作部２５の状態をタイムベースタイマ割り込み（例えば２ｍｓ）でサンプリングし、図５に示すように、右パルスと左パルスの波形の違いを読み取り、右回転か左回転かを判定する。はじめに右パルスが４ｍｓ連続した場合には右回転と判定し、逆に、はじめに左パルスが４ｍｓ連続した場合には左回転と判定する。また、パルス入力の間隔によって、つまみ２５ａの回転速度が高速回転であるか、低速回転であるかを判定する。
【００２２】
ここで、つまみ２５ａが、右回転に所定速度よりも高速で回転操作された場合には、その回転角度に応じて、左の加熱コイル８に対応する加熱情報表示部１４のＬＥＤ１７を輝度１００％で左から順次点灯させる。この場合、加熱情報表示部１４の表示情報は、加熱コイル８の設定出力である。図１に点灯例を示している。この図１において、加熱情報表示部１４の多数個のＬＥＤ１７のうち、左から例えば１１番目のＬＥＤ１７ａ〜１７ｋが輝度１００％で点灯している（図１では、輝度１００％で点灯しているＬＥＤ１７を便宜上、両方向の斜線で示している）。そして、この状態で、つまみ２５ａが、所定速度よりも低速で右回転されるようになると、表示出力の最大点に対応する次の１２番目のＬＥＤ１７ｌが、輝度４０％、輝度６０％、輝度１００％と順次輝度を増しながら点灯制御されるようになる（図１では、便宜上、片側の斜線で示している）。なお、図１の状態で、つまみ２５ａが低速で左回転されると、１２番目のＬＥＤ１７ｌが順次輝度を減少させながら消灯制御され、さらに同方向へ回転されると、１１番目のＬＥＤ１７ｋの輝度が順次減少されるようになる。これにより、加熱情報表示部１４において、設定出力を細かく表示することが可能となり、これに伴い設定出力の微調整が可能となる。
【００２３】
このときのＬＥＤ１７の輝度調整の具体例を図６に示す。デジットドライバ３４における４デジットを１周期として５周期のＬＥＤのＯＮ／ＯＦＦパターンにより、ＬＥＤ１７の輝度を３段階で表現する。輝度１００％の場合には１〜５周期すべてＯＮ、輝度６０％の場合には１，３，５周期でＯＮ、輝度４０％の場合には１，４周期でＯＮとする。この例では、輝度を３段階で可変する例を示したが、最大５段階まで可変できる。また、ＬＥＤのＯＮ／ＯＦＦパターンの繰り返し周期を増加すれば、さらに調整段数を増加させることが可能である。
【００２４】
なお、つまみ２５ａを所定速度より速く左回転させた場合には、先頭のＬＥＤ１７から順に消灯していく。従ってこの場合、つまみ２５ａの回転速度に応じて加熱情報表示部１４の表示態様が切り替えられる構成となっている。
【００２５】
一方、左の加熱コイル８を利用して例えば天ぷら調理を行う場合には、操作パネル２２における表示切替スイッチ２９を操作する。すると、加熱情報表示部１４は、温度情報の表示部に切り替えられる。この場合の表示例を図４に示す。この場合、つまみ２５ａの回転角度に応じた設定温度、例えば１８０℃に対応したＬＥＤ１７ｉが輝度１００％で点灯すると共に、加熱コイル８による加熱が開始される。そして、その加熱に伴い、鍋の温度を検知する温度センサ１２の検知温度が上昇する。この温度センサ１２の検知温度に応じて左のＬＥＤ１７ａから、１７ｂ，１７ｃ，１７ｄ…へと順次点灯する。このとき、検出温度に対応するＬＥＤ１７は、検知温度の上昇に応じて輝度が明るくなるように変化し、輝度が１００％になると、次のＬＥＤ１７の輝度が制御されるようになる。このようにして温度が徐々に上昇していくことが表示される。
【００２６】
なお、右側の加熱コイル９を使用する場合も、上記左側の加熱コイル８を使用する場合と同様であるので、説明は省略する。また、中央ヒータ１０を使用する場合には、加熱情報表示部１６には設定出力のみが表示される。このときの表示も、上記加熱情報表示部１４の表示と同様である。
【００２７】
上記した第１実施例によれば、次のような効果を得ることができる。すなわち、加熱情報表示部１４，１５，１６により設定出力を表示する場合、各ＬＥＤ１７の輝度を変化させることで多段階の表示を行うことができるので、設定出力を、単にＬＥＤの数だけで表示する場合とは違い、一層細かく表示することができるようになる。これに伴い、出力の微調整が可能となり、ガス火を調整する感覚で微妙な火加減の調節が可能となり、使い勝手を向上できる。また、温度情報を表示する場合も、細かな温度表示が可能となる。
【００２８】
加熱情報表示部１４，１５，１６は、それぞれ点灯制御される複数の発光単位であるＬＥＤ１７により構成され、点灯制御されるＬＥＤ１７の中で表示情報の最大点に対応する一部のＬＥＤ１７を多段階表示させる構成としているので、限られた数のＬＥＤ１７で多くの状態を表示することが可能となる。
【００２９】
各操作部２５，２６，２７のつまみ２５ａ，２６ａ，２７ａを所定の回転速度よりも早く回転操作した場合には、加熱情報表示部１４，１５，１６のＬＥＤ１７を微調整せず順次点灯または消灯させ、ゆっくりと回転操作した場合には、先頭側のＬＥＤ１７の点灯状態を段階的に変化させる構成としているので、ＬＥＤ１７の数が多くなっても、１個のつまみ２５ａ，２６ａ，２７ａで素早く操作することができるようになる。
【００３０】
図７は本発明の第２実施例を示したものであり、この第２実施例は上記した第１実施例とは次の点が異なっている。すなわち、左の加熱コイル８に対応する加熱情報表示部４０及び右の加熱コイル９に対応する加熱情報表示部４１は、トッププレート３の前部の中央部よりに直線状に配置され、また、中央ヒータ１０に対応する加熱情報表示部４２も、前部の中央部に直線状に配置されている。これら各加熱情報表示部４０，４１，４２は、設定出力の表示のみとなっている。高温注意表示部４３は、１個のＬＥＤ１７のみで構成されている。
【００３１】
また、操作パネル４４における操作部４５において、左加熱コイル用操作部４６、右加熱コイル用操作部４７、中央ヒータ用操作部４８、ロースタ用操作部４９、タイマ用操作部５０は、それぞれタッチ式スイッチにより構成されている。
【００３２】
ここで、左加熱コイル用操作部４６、右加熱コイル用操作部４７、中央ヒータ用操作部４８は、それぞれ左矢印マーク５１と右矢印マーク５２とを有している。右矢印マーク５２を長く連続して押圧操作すると、上記ロータリー式のつまみ２５ａ，２６ａ，２７ａを速く回転させた場合と同様に、対応する表示部４０，４１，４２のＬＥＤ１７が左から輝度１００％で順次点灯される。そして、右矢印マーク５２を短時間押圧操作すると、上記ロータリー式のつまみ２５ａ，２６ａ，２７ａをゆっくり回転させた場合と同様に、対応する表示部４０，４１，４２のＬＥＤ１７のうちの先頭のＬＥＤ１７の輝度が４０％、６０％、１００％と順次明るくなるように変化する。
【００３３】
また、左矢印マーク５１を短時間押圧操作すると、対応する表示部４０，４１，４２のＬＥＤ１７のうちの先頭のＬＥＤ１７の輝度が順次減少するように変化する。左矢印マーク５１を長く連続して押圧操作した場合には、対応する表示部４０，４１，４２のＬＥＤ１７が先頭から順次消灯していく。従ってこの場合、左及び右矢印マーク５１，５２を押圧操作する時間に応じて、表示部４０，４１，４２の表示態様が切り替えられる構成となっている。
【００３４】
上記した第２実施例においても、上記した第１実施例とほぼ同様な作用効果を得ることができる。
【００３５】
本発明は、上記した各実施例にのみ限定されるものではなく、次のように変形または拡張できる。
各加熱情報表示部１４，１５，１６，４０，４１，４２において出力情報を表示する場合、設定出力に代えて、対応する加熱手段の実際の出力を表示するようにしても良い。
【００３６】
各加熱情報表示部１４，１５，１６，４０，４１，４２における発光単位としては、ＬＥＤ１７を例示したが、これに代えて、例えばバックライト付きの液晶表示器（ＬＣＤ）における発光セグメントを用い、これの発光状態を可変させることで多段階に変化させるようにしても良い。
【００３７】
本発明は、ビルトインタイプのものに限られず、机などの上に置かれるタイプのものにも適用できる。
【００３８】
【発明の効果】
以上の説明から明らかなように、本発明によれば、加熱情報表示手段の一部を多段階に表示させる構成としたことにより、加熱情報を一層細かく表示することができると共に、微調整が可能となり、使い勝手を一層向上させることが可能となる。
【図面の簡単な説明】
【図１】本発明の第１実施例を示すもので、トッププレートを外した状態で示す要部の平面図
【図２】全体の外観斜視図
【図３】電気的構成を示す図
【図４】温度表示の例を示す要部の平面図
【図５】ロータリーエンコーダの回転方向を判定するための説明図であり、（ａ）は右回転の例の説明図、（ｂ）は左回転の例の説明図
【図６】ＬＥＤの輝度を３段階で表示する際の説明図であり、（ａ）は輝度のＯＮ比率を示す図、（ｂ）は対象セグメント（ＬＥＤ）のＯＮ／ＯＦＦパターンを示す図
【図７】本発明の第２実施例を示す図２相当図
【符号の説明】
図面中、１は加熱調理器、３はトッププレート、８，９は加熱コイル（加熱手段）、１０は中央ヒータ（加熱手段）、１０ａ，１２，１３は温度センサ、１４，１５，１６は加熱情報表示部（加熱情報表示手段）、１７はＬＥＤ（発光単位）、２５は左加熱コイル用操作部（操作手段）、２６は右加熱コイル用操作部（操作手段）、２７は中央ヒータ用操作部（操作手段）、２５ａ，２６ａ，２７ａはロータリー式のつまみ、３０はマイクロコンピュータ（制御手段）、４０，４１，４２は加熱情報表示部（加熱情報表示手段）、４６は左加熱コイル用操作部（操作手段）、４７は右加熱コイル用操作部（操作手段）、４８は中央ヒータ用操作部（操作手段）、５１は左矢印マーク、５２は右矢印マークを示す。
【図１】
0003927839.tif 000002
【図２】
0003927839.tif 000003
【図３】
0003927839.tif 000004
【図４】
0003927839.tif 000005
【図５】
0003927839.tif 000006
【図６】
0003927839.tif 000007
【図７】
0003927839.tif 000008